(57)【特許請求の範囲】
【請求項１】
無線通信ネットワークにおいて基地局（３０）とユーザ機器（ＵＥ）（１０）との間で通信する方法であって、
ＵＥ（１０）により、無線通信ネットワーク内の基地局（３０）へ、当該ＵＥ（１０）の無線アクセスケイパビリティ（２０）を送信すること（１０６）、
を含み、
前記ＵＥ（１０）の前記無線アクセスケイパビリティ（２０）は、複数のフィールドを含む情報エレメントであって、前記ＵＥ（１０）が無線パラメータのリリース非依存の修正をサポートするということを前記基地局（３０）へ示すように作動可能なフィールドを含む当該情報エレメント内で通信される、
ことを特徴とする方法。
【請求項２】
前記無線パラメータは、ネットワークシグナリング値（ＮＳ値）を含む、請求項１の方法。
【請求項３】
前記情報エレメントは、無線パラメータへマッピングされる複数のビット位置を伴うビットマップを含む、請求項１の方法。
【請求項４】
前記情報エレメントは整数ベクトルを含み、前記ベクトル内の各位置は無線パラメータに関連付けられ、対応する前記整数は前記無線パラメータの修正又は追加を定義する３ＧＰＰ標準のリリース番号を示す、請求項２の方法。
【請求項５】
基地局（３０）により無線通信ネットワークのセルを動作させる方法であって、
ユーザ機器（ＵＥ）（１０）から、当該ＵＥ（１０）の無線アクセスケイパビリティ（２０）を受信すること、
を含み、
前記ＵＥ（１０）の前記無線アクセスケイパビリティ（２０）は、複数のフィールドを含む情報エレメントであって、前記ＵＥ（１０）が無線パラメータのリリース非依存の修正をサポートするということを示すように作動可能なフィールドを含む当該情報エレメント内で受信され、
修正された前記無線パラメータの前記ＵＥ（１０）によるサポートに応じて、前記ＵＥ（１０）を管理する、
ことを特徴とする、方法。
【請求項６】
前記ＵＥ（１０）を管理することは、修正された前記無線パラメータの前記ＵＥ（１０）によるサポートに応じて、前記ＵＥ（１０）について流入制御を実行すること、を含む、請求項５の方法。
【請求項７】
前記ＵＥ（１０）を管理することは、修正された前記無線パラメータの前記ＵＥ（１０）によるサポートに応じて、前記ＵＥ（１０）にスケジューリング制約を課すこと、を含む、請求項５の方法。
【請求項８】
前記ＵＥ（１０）を管理することは、修正された前記無線パラメータの前記ＵＥ（１０）によるサポートに応じて、前記ＵＥ（１０）のインター帯域ハンドオーバに制約を課すこと、を含む、請求項５の方法。
【請求項９】
前記無線パラメータは、ネットワークシグナリング値（ＮＳ値）を含む、請求項５〜８のいずれかの方法。
【請求項１０】
前記情報エレメントは、予め決定されるやり方で無線パラメータへマッピングされる複数のビット位置を伴うビットマップを含む、請求項９の方法。
【請求項１１】
前記情報エレメントは整数ベクトルを含み、前記ベクトル内の各位置は無線パラメータに関連付けられ、対応する前記整数は無線パラメータの修正又は追加を定義する３ＧＰＰ標準のリリース番号を示す、請求項９の方法。
【請求項１２】
無線通信ネットワークにおいて作動可能なユーザ機器（ＵＥ）（１０）であって、
前記ネットワーク内の少なくとも１つの基地局（３０）との間で信号を受信し及び送信するように作動可能な送受信機（１２）と、
メモリ（１８）と、
前記送受信機（１２）及び前記メモリ（１８）へ作動可能に接続され、前記送受信機（１２）に前記基地局（３０）へ前記ＵＥ（１０）の無線アクセスケイパビリティ（２０）を送信させる、ように作動可能なコントローラ（１６）と
を含み、
前記コントローラは、さらに、前記ＵＥ（１０）の前記無線アクセスケイパビリティ（２０）を、複数のフィールドを含む情報エレメント内で前記送受信機（１２）に送信させるように作動可能であり、
前記情報エレメントは、前記ＵＥ（１０）が無線パラメータのリリース非依存の修正をサポートするということを前記基地局（３０）へ示すように作動可能なフィールドを含む、
ことを特徴とするＵＥ（１０）。
【請求項１３】
前記無線アクセスケイパビリティ（２０）は、前記メモリ（１８）内に記憶されるデータ構造を含む、請求項１２のＵＥ（１０）。
【請求項１４】
前記無線パラメータは、ネットワークシグナリング値（ＮＳ値）を含む、請求項１２又は請求項１３のＵＥ（１０）。
【請求項１５】
前記情報エレメントは、予め決定されるやり方で無線パラメータへマッピングされる複数のビット位置を伴うビットマップを含む、請求項１２のＵＥ（１０）。
【請求項１６】
前記情報エレメントは整数ベクトルを含み、前記ベクトル内の各位置は無線パラメータに関連付けられ、対応する前記整数は無線パラメータの修正又は追加を定義する３ＧＰＰ標準のリリース番号を示す、請求項１２のＵＥ（１０）。
【請求項１７】
無線通信ネットワークにおいて作動可能な基地局（３０）であって、
少なくとも１つのユーザ機器（ＵＥ）（１０）との間で信号を受信し及び送信するように作動可能な送受信機（３６）と、
メモリ（３２）と、
前記送受信機（３６）及び前記メモリ（３２）へ作動可能に接続され、前記送受信機（３６）にＵＥ（１０）から当該ＵＥ（１０）の無線アクセスケイパビリティ（２０）を受信させる、ように作動可能なコントローラ（３４）と
を含み、
前記コントローラは、さらに、
前記ＵＥ（１０）の前記無線アクセスケイパビリティ（２０）を、前記ＵＥ（１０）が無線パラメータのリリース非依存の修正をサポートするということを示すように作動可能なフィールドを含む複数のフィールドを含む情報エレメント内で前記送受信機（３６）に受信させ、
修正された前記無線パラメータの前記ＵＥ（１０）によるサポートに応じて、前記ＵＥ（１０）を管理する、
ように作動可能である、ことを特徴とする基地局（３０）。
【請求項１８】
前記コントローラは、修正された前記無線パラメータの前記ＵＥ（１０）によるサポートに応じて、前記ＵＥ（１０）について流入制御を実行することにより、前記ＵＥ（１０）を管理する、ように作動可能である、請求項１７の基地局（３０）。
【請求項１９】
前記コントローラは、修正された前記無線パラメータの前記ＵＥ（１０）によるサポートに応じて、前記ＵＥ（１０）にスケジューリング制約を課す、ように作動可能である、請求項１７の基地局（３０）。
【請求項２０】
前記コントローラは、修正された前記無線パラメータの前記ＵＥ（１０）によるサポートに応じて、前記ＵＥ（１０）のインター帯域ハンドオーバに制約を課す、ように作動可能である、請求項１７の基地局（３０）。
【請求項２１】
前記無線パラメータは、ネットワークシグナリング値（ＮＳ値）を含む、請求項１７〜２０のいずれかの基地局（３０）。
【請求項２２】
前記情報エレメントは、予め決定されるやり方で無線パラメータへマッピングされる複数のビット位置を伴うビットマップを含む、請求項１７の基地局（３０）。
【請求項２３】
前記情報エレメントは整数ベクトルを含み、前記ベクトル内の各位置は無線パラメータに関連付けられ、対応する前記整数は無線パラメータの修正又は追加を定義する３ＧＰＰ標準のリリース番号を示す、請求項１７の基地局（３０）。
【発明の詳細な説明】
【技術分野】
【０００１】
本発明は、一般に、無線通信ネットワークに関し、具体的には、無線パラメータのリリース非依存の修正に関連する移動端末ケイパビリティのシグナリングのシステム及び方法に関する。
【背景技術】
【０００２】
現代の無線通信ネットワークは、技術的な洗練度（並びに付随する特徴及びケイパビリティ）と地理的な配備及び加入者数の観点との双方において、空前の成長を経験している。産業界をまたいだ一連の仕様書群への、無線通信ネットワークの構造及び動作の重要な技術的詳細の成文化によって、この成長が促進され−実際上その結果として成長が大幅に可能となった。３ＧＰＰ（Third  Generation  Partnership  Project）は、第３世代以降のネットワークのための技術標準を提案し、合意し及び公表する電気通信関連団体のグループの間の共同作業である。３ＧＰＰは、ＧＳＭ（Global  System  for  Mobile  Communications）の後継であるＵＭＴＳ（Universal  Mobile  Telecommunications  System）及びその無線アクセスネットワーク（ＲＡＮ）であるＵＴＲＡＮ（UMTS  Terrestrial  Radio  Access  Network）の動作を左右する標準を公表している。３ＧＰＰは、例えばＨＳＤＰＡ／ＨＳＵＰＡ（High  Speed  Downlink/Uplink  Packet  Access）及びＭＩＭＯ（Multiple-Input  Multiple-Output）送信方式などを仕様化するなど、ＵＴＲＡＮ及びＧＳＭベースの無線アクセスネットワーク技術をさらに進化させている。
【０００３】
これら技術的な進展の各々の動作を左右する仕様は、３ＧＰＰ標準のメジャーな改訂（revision）あるいは“リリース”として公表される。より一般的にはユーザ機器（ＵＥ）として言及される移動端末は、３ＧＰＰ標準の特定のリリースに適合するように設計され、そのリリースに準拠するものとして認証される。例えば、ＨＳＤＰＡはリリース５において仕様化されており、ＨＳＵＰＡはリリース６において仕様化されている。３ＧＰＰは、リリース８において、Long-Term  EvolutionあるいはＬＴＥとしても知られる発展型ＵＴＲＡあるいはＥ−ＵＴＲＡを定義した。ＵＥは、その認証された対象の特定の３ＧＰＰリリースに準拠するものと想定され得るが、但し、標準の後期リリースにおいて仕様化された特徴を遵守していることを期待することはできない（後のリリースにおいて仕様化された動作帯域は１つの共通的な例外である）。
【０００４】
スペクトルがあるエリアにおいて開放されていれば、新たなモバイル技術を採用することができる。新たなスペクトルに部分的に又は完全に一致する３ＧＰＰにおいて定義された周波数帯域が既に存在する場合に、その帯域が新たなスペクトルでの動作のために採用されるのであれば恩恵が大きい。例えば、既に開発された機器の観点での経済的な利点が与えられる。一方で、周波数帯域が採用されようとしているエリアでの既存のスペクトル割り当てとの互換性を保証するために、即ち、新たに配備される無線ネットワークが当該新たに開放されるスペクトルに近い周波数において使用されている既存の通信システムとの干渉を引き起こさないことを保証するために、新たな送信の制約が課され得る。
【０００５】
ＬＴＥ技術は、ネットワークシグナリング（ＮＳ）として知られている、基地局とユーザ機器との間のあるシグナリングを定義している。ネットワークシグナリング値あるいはＮＳ値は、基地局によりそのシステム情報の一部として送信され得るネットワークパラメータであり、よって、当該セルに接続するＵＥに、ある追加的なセル固有の要件を遵守する必要があることを指し示す。より具体的には、ＮＳ値は、メッセージSystemInformationBlockType2内で、情報エレメントAdditionalSpectrumEmissionを介してシグナリングされる。これら追加的な要件の遵守を容易化するために、ＮＳ値は、さらに、追加最大電力低減あるいはＡ−ＭＰＲとしても知られるある最大電力バックオフを適用することをＵＥが許容されることを指し示し得る。ＮＳ値は、ＵＥが作動可能な固有の動作帯域に結び付けられる。ＮＳ値の受信後に、その動作帯域において動作するＵＥは、ＡＭＰＲ値により特定された通りにその最大送信電力を修正することを許容される。固有の動作帯域について複数のＮＳ値を利用可能とすることができるが、通常はセルによって一度に単一のＮＳ値のみがシグナリングされ得る（重複する複数の動作帯域がセルの周波数レンジをカバーする場合には、複数のＮＳ値がシグナリングされ得る）。固有のＮＳ値がシグナリングされない場合には、既定の要件が適用される。
【０００６】
ネットワークシグナリングの典型的な用途は、追加的なスプリアス放射要件又は一般的要件より厳しいスペクトル放射マスクといった不要又はスプリアス放射要件を充足するように、所与の動作帯域において動作しているＵＥがその最大送信電力を低減することを許容することである。許容される最大送信電力の低減は、所望信号及び送信帯域幅の周波数割り当ての条件とされ得る。追加最大電力低減（ＡＭＰＲ）は、ＮＳ値に関連付けられ；セルにおいて一旦ＮＳ値が構成されると、（例えば３ＧＰＰ  ＴＳ３６．１０１といった標準内のテーブルに従って）電力低減が許容される。
【０００７】
標準のより新しいリリースでは、所与のＮＳ値についての電力低減特性といったネットワークシグナリング値に関連付けられるあるパラメータを修正することが可能である。修正は、どういった電力低減値が許容されるか、及び／又はどういったスペクトル放射要件を満たさなければならないかの観点であり得る。但し、そうした修正が特定される場合、既に配備済みのレガシーＵＥの振る舞いは、標準の新たなバージョンに従ったものにはならない。ネットワーク内の修正された電力低減を実装するＵＥをネットワークがレガシーＵＥ（即ち、標準のより早期のリリースに準拠するＵＥ）から区別することは可能ではない。
【０００８】
新たなエリアにおいて無線ネットワークを配備する場合、最も単純でコスト効果の高いアプローチは、別の場所で既に配備済みであって付随する制約及び動作パラメータが既に定義済みの動作帯域を“再利用”することである。しかしながら、新たなエリアは、過去に配備された帯域に適用可能な制限とは異なる制限を課すかもしれない。例えば、新たな領域での既存のスペクトル割り当ては、既に仕様化済みの動作帯域内で追加的な放射保護限界を要するかもしれない。
【０００９】
標準の将来のリリースは、その制約を指定する新たなＮＳ値を定義するかもしれない；しかしながら、レガシーＵＥは、新たなＮＳ値を解釈することができないであろう。３ＧＰＰ仕様に既に含まれている動作帯域について新たなネットワークシグナリングを単純に取り入れることはできない。レガシーＵＥは、それを認識せず、結果的にネットワークが禁じられていると見なすはずである。
【００１０】
将来のリリースは、そうした動作帯域において既にサポート済みのチャネル帯域幅に関連付けられる新たなＡＭＰＲ値をも含むかもしれない。しかしながら、レガシーＵＥは、更新された電力低減を適用するためにＮＳ値を解釈することができず、ＵＥの振る舞いは予測不能になるであろう。
【００１１】
現在のところ、既存のＮＳ値に関連付けられない動作帯域により、既にサポート済みのチャネル帯域幅に関連付けられる新たなネットワークシグナリング又は新たなＡＭＰＲのいずれかを包含するための唯一の解決策は、新たな動作帯域を定義することである。即ち、新たに関連付けられるＮＳ値と共に、周波数レンジを維持しながら、新たな動作帯域番号を定義することである。これは、標準化されたグローバルな帯域の代わりに−新たな帯域の増殖を生み出し、フラグメント化したスペクトルとそれによるマーケットとをもたらす。
【００１２】
さらに、ある３ＧＰＰリリースにおいて仕様化された動作帯域を、以前のリリースに準拠したＵＥによりサポートすることもでき、これは、ネットワークシグナリング値の異なる複数のバージョンの間で区別をするために、ＵＥによりそのケイパビリティにおいて示されるリリースを使用することができないことを意味する；。
【００１３】
本文書の背景セクションは、本発明の実施形態を技術的な及び動作上の文脈に置き、当業者がそのスコープ及び有用性を理解することを支援するために提供されている。そのように明示的に識別されない限り、ここでの記述は、単に背景セクションへの包含によって従来技術として認められるものではない。
【発明の概要】
【００１４】
ここで説明され請求される１つ以上の実施形態によれば、ＵＥは、自身の無線アクセスケイパビリティを基地局へ示す。ＵＥによりレポートされる無線アクセスケイパビリティへ、ＮＳ値といったある無線パラメータが修正されたか又は新たなパラメータ（例えば、ＮＳ値）が動作帯域のために取り入れられたかを、リリース非依存のやり方で示すためのエレメントが追加される。このやり方で、基地局は、修正された振る舞いを伴うＵＥをレガシーＵＥから区別することができる。これは、同じ周波数レンジで新たな動作帯域を定義してネットワーク仕様の所与の改訂のために変更されたＮＳ値といった新たなパラメータを収容する必要性を軽減することにより、動作帯域の広汎な再利用を可能とする。
【００１５】
１つの実施形態は、無線通信ネットワークにおいて基地局とユーザ機器（ＵＥ）との間で通信する方法に関する。上記ＵＥは、無線通信ネットワーク内の基地局へ、複数のフィールドを含む情報エレメント内で、当該ＵＥの無線アクセスケイパビリティを送信する。上記情報エレメントは、上記ＵＥが無線パラメータのリリース非依存の修正をサポートするということを上記基地局へ示すように作動可能なフィールドを含む。
【００１６】
１つの実施形態において、無線パラメータは、ネットワークシグナリング値（ＮＳ値）を含む。
【００１７】
１つの実施形態において、上記情報エレメントは、無線パラメータへマッピングされる複数のビット位置を伴うビットマップを含む。
【００１８】
１つの実施形態において、上記情報エレメントは、整数ベクトルを含む。上記ベクトル内の各位置は、無線パラメータに関連付けられる。対応する上記整数は、上記無線パラメータの修正又は追加を定義する３ＧＰＰ標準のリリース番号を示す。
【００１９】
他の実施形態は、基地局により無線通信ネットワークのセルを動作させる方法に関する。ＵＥから、当該ＵＥの無線アクセスケイパビリティが、複数のフィールドを含む情報エレメント内で受信される。上記情報エレメントは、上記ＵＥが無線パラメータのリリース非依存の修正をサポートするということを示すように作動可能なフィールドを含む。上記ＵＥは、修正された上記無線パラメータの上記ＵＥによるサポートに応じて管理される。
【００２０】
１つの実施形態において、上記ＵＥを管理することは、修正された上記無線パラメータの上記ＵＥによるサポートに応じて、上記ＵＥについて流入制御（admission  control）を実行すること、を含む。
【００２１】
１つの実施形態において、上記ＵＥを管理することは、修正された上記無線パラメータの上記ＵＥによるサポートに応じて、上記ＵＥにスケジューリング制約を課すこと、を含む。
【００２２】
１つの実施形態において、上記ＵＥを管理することは、修正された上記無線パラメータの上記ＵＥによるサポートに応じて、上記ＵＥのインター帯域ハンドオーバに制約を課すこと、を含む。
【００２３】
１つの実施形態において、上記無線パラメータは、ネットワークシグナリング値（ＮＳ値）を含む。
【００２４】
１つの実施形態において、上記情報エレメントは、予め決定されるやり方で無線パラメータへマッピングされる複数のビット位置を伴うビットマップを含む。
【００２５】
１つの実施形態において、上記情報エレメントは、整数ベクトルを含む。上記ベクトル内の各位置は、無線パラメータに関連付けられる。対応する上記整数は無線パラメータの修正又は追加を定義する３ＧＰＰ標準のリリース番号を示す。
【００２６】
また別の実施形態は、無線通信ネットワークにおいて作動可能なＵＥに関する。上記ＵＥは、上記ネットワーク内の少なくとも１つの基地局との間で信号を受信し及び送信するように作動可能な送受信機、を含む。上記ＵＥは、メモリと、上記送受信機及び上記メモリへ作動可能に接続されるコントローラと、をも含む。上記コントローラは、上記送受信機に上記基地局へ複数のフィールドを含む情報エレメント内で上記ＵＥの無線アクセスケイパビリティを送信させる、ように作動可能である。上記情報エレメントは、上記ＵＥが無線パラメータのリリース非依存の修正をサポートするということを上記基地局へ示すように作動可能なフィールドを含む。
【００２７】
１つの実施形態において、上記無線アクセスケイパビリティは、上記メモリ内に記憶されるデータ構造を含む。
【００２８】
１つの実施形態において、上記無線パラメータは、ネットワークシグナリング値（ＮＳ値）を含む。
【００２９】
１つの実施形態において、上記情報エレメントは、予め決定されるやり方で無線パラメータへマッピングされる複数のビット位置を伴うビットマップを含む。
【００３０】
１つの実施形態において、上記情報エレメントは、整数ベクトルを含む。上記ベクトル内の各位置は、無線パラメータに関連付けられる。対応する上記整数は、無線パラメータの修正又は追加を定義する３ＧＰＰ標準のリリース番号を示す。
【００３１】
また別の実施形態は、無線通信ネットワークにおいて作動可能な基地局に関する。上記基地局は、少なくとも１つのＵＥとの間で信号を受信し及び送信するように作動可能な送受信機、を含む。上記基地局は、メモリと、上記送受信機及び上記メモリへ作動可能に接続されるコントローラと、をも含む。上記コントローラは、上記送受信機に、複数のフィールドを含む情報エレメント内でＵＥから当該ＵＥの無線アクセスケイパビリティを受信させるように作動可能である。上記情報エレメントは、上記ＵＥが無線パラメータのリリース非依存の修正をサポートするということを示すように作動可能なフィールドを含む。上記コントローラは、修正された上記無線パラメータの上記ＵＥによるサポートに応じて、上記ＵＥを管理する、ようにさらに作動可能である。
【００３２】
１つの実施形態において、上記コントローラは、修正された上記無線パラメータの上記ＵＥによるサポートに応じて、上記ＵＥについて流入制御を実行することにより、上記ＵＥを管理する、ように作動可能である。
【００３３】
１つの実施形態において、上記コントローラは、修正された上記無線パラメータの上記ＵＥによるサポートに応じて、上記ＵＥにスケジューリング制約を課す、ように作動可能である。
【００３４】
１つの実施形態において、上記コントローラは、修正された上記無線パラメータの上記ＵＥによるサポートに応じて、上記ＵＥのインター帯域ハンドオーバに制約を課す、ように作動可能である。
【００３５】
１つの実施形態において、上記無線パラメータは、ネットワークシグナリング値（ＮＳ値）を含む。
【００３６】
１つの実施形態において、上記情報エレメントは、予め決定されるやり方で無線パラメータへマッピングされる複数のビット位置を伴うビットマップを含む。
【００３７】
１つの実施形態において、上記情報エレメントは、整数ベクトルを含む。上記ベクトル内の各位置は、無線パラメータに関連付けられる。対応する上記整数は、無線パラメータの修正又は追加を定義する３ＧＰＰ標準のリリース番号を示す。
【図面の簡単な説明】
【００３８】
次に、本発明は、添付図面を参照しながらこれ以降でより充分に説明されるであろう。添付図面には、本発明の実施形態が示されている。しかしながら、本発明は、ここで説明される実施形態に限定されるものとして解釈されるべきではない。むしろ、それら実施形態は、本開示が綿密かつ完全となり、本発明の範囲を当業者に充分に伝えるように提供されている。一貫して、同様の番号は同様のエレメントを指す。
【００３９】
【図１】代表的なＵＥ無線アクセスケイパビリティ（UE  Radio  Access  Capability）データ構造である。
【図２】ＵＥによるネットワーク内で通信する方法のフロー図である。
【図３】ＵＥ及び基地局の機能ブロック図である。
【図４】周波数図である。
【発明を実施するための形態】
【００４０】
最初に理解されるべきこととして、本開示の１つ以上の実施形態の例示的な実装が以下に提供されているものの、開示されるシステム及び／又は方法は、現在のところ知られているか又は存在するかに関わらず、いかなる数の技法を用いて実装されてもよい。本開示は、ここで描かれ説明される例示的な設計及び実装を含む以下に描かれる例示的な実装、図面及び技法に決して限定されるべきではなく、添付の請求項の範囲と共にそれらの均等物の充分な範囲内において修正されてよい。
【００４１】
ＵＥの無線アクセスケイパビリティの少なくともいくつかの面が、ＵＥにより基地局へ送信され、単一の又は複数のフィールドを含むデータ構造である情報エレメントとしてシグナリングされる。そのフィールドは、情報エレメントの個々の内容である。ＬＴＥでは、リリースによって、又はリリース非依存（release  independent）のやり方で、フィールドを情報エレメントに追加することができる。
【００４２】
本発明の１つの実施形態によれば、ＮＳ値といった−ネットワーク仕様のリリース非依存の無線パラメータが修正されたこと、又はＵＥが新たなパラメータをサポートすること、を基地局へ示すフィールドが、ＵＥ無線ケイパビリティへ追加される。
【００４３】
図１は、無線アクセスケイパビリティをシグナリングするために使用される情報エレメント（ＩＥ）の１つの代表的な例を描いている。“UE-EUTRA-Capability”と表記される情報エレメントは、Ｅ−ＵＴＲＡ無線アクセス技術についてのＵＥのケイパビリティを符号化する。情報エレメントUE-EUTRA-Capabilityの多くの他のフィールド−簡明さのために図１には描かれていない−は、halfDuplex、bandListEUTRA及びinterFreqBandListなどといった追加的なＵＥケイパビリティを基地局へシグナリングし得る。
【００４４】
図１は、情報エレメントUE-EUTRA-Capabilityの追加的なフィールドをも描いており、追加的なフィールドは、無線パラメータのリリース非依存の修正をＵＥがサポートするということを基地局へ示すために使用され得る。１つの実施形態において、追加的なフィールドは、“NetworkSignalingVersion”と表記され、ビットマップを含む。ビットマップ内の各ビットには、例えば、特定のＮＳ値の定義が３ＧＰＰ仕様のあるバージョンにおいて変更された、という意味が与えられ得る。１つの実施形態において、ＮＳ値の修正バージョンを実装し又は後のリリースにおいて追加されたＮＳ値を遵守するＵＥは、対応するビットについて“１”（one）を指し示す。フィールド“NetworkSignalingVersion”の欠如は、ＵＥがいかなる修正された又は新たなＮＳ値もサポートしないことを示唆する。
【００４５】
既存の動作帯域に関連付けられる複数のＮＳ値が修正され又は追加される場合、ビットマップ内でより多くのビットが使用され、ビットマップは予め決定されるサイズを有し得る。ＵＥが特定のビット位置について“０”（zero）を指し示す場合、関連付けられるＮＳ値は修正されない。異なる実施形態において、個々のビット値は逆の意味を有してもよい。
【００４６】
フィールド“NetworkSignalingVersion”は、３ＧＰＰ仕様の任意のリリースにおけるＵＥ無線アクセスケイパビリティ情報エレメントへ追加されることができ、自身の無線アクセスケイパビリティ内で以前のリリースのサポートを示すＵＥ（Ｅ−ＵＴＲＡ向けのaccessStratumRelease）について追加されることもできる。これは、ＮＳ値のリリース非依存の変更を許容する。
【００４７】
NetworkSignalingVersionのビットマップを含むＵＥ無線アクセスケイパビリティの受信後に、基地局は、ＵＥが定義され又は修正されたＮＳ値をサポートするか否かを判定し、それに従って自身でのユーザ流入制御及び輻輳制御を調整する。例えば、基地局は、修正され及び／又は追加されたＮＳ値をサポートしないＵＥによるアタッチを許可しなくてもよい。他の例として、基地局は、最新のＮＳ値を遵守しないレガシーＵＥを受け入れ得るが、当該ＵＥにスケジューリングといった制約を課してもよい。他の例として、ハンドオーバターゲット基地局により採用された周波数帯域向けのあるＮＳ値をＵＥがサポートしないことを認識した基地局は、ＵＥによるインター帯域ハンドオーバを制限してもよい。
【００４８】
よって、１つの実施形態において、NetworkSignalingVersionは、ある複数のＮＳ値が修正されたか否か、及びどのリリースにおいて修正が取り入れられたかを示す複数のバイナリ値を含む。
【００４９】
他の実施形態において、NetworkSignalingVersionは、３ＧＰＰ仕様のどのリリースに個々のＮＳ値が従うかを示す整数値のベクトルを追加的に含む。これは、仕様のより新しいステージにて、３ＧＰＰリリースの序列において、ＮＳ値を複数回再定義する代替的な手段を提供する。他の実施形態において、情報エレメント内の複数のフィールドを、情報を捕捉するために追加してもよい。例えば、新たな３ＧＰＰリリースごとに１つのフィールドが追加されてもよく、各フィールドは、個々のリリースに従う複数のＮＳ値の準拠に対応するビットマップからなる。
【００５０】
図２は、無線通信ネットワークにおいてＵＥにより無線アクセスケイパビリティ内で修正された無線パラメータの受け入れを通信する方法１００を描いている。ＵＥは、ＮＳ値といった無線パラメータのリリース非依存の修正を受け入れる（ブロック１０２）。これは、ＦＯＴＡ（Firmware  Over  The  Air）アップデート又はサービスセンタでのアップデートといった、ＵＥのソフトウェア又はファームウェアアップグレードの一部として行われ得る。ＵＥは、その修正の受け入れを反映するように、無線アクセスケイパビリティデータ構造の情報エレメントのフィールドを修正する（又は、ソフトウェア又はファームウェアアップグレードの一部として修正を受け入れる）（ブロック１０４）。１つの実施形態において、フィールドは、NetworkSignalingVersionとラベリングされる。１つの実施形態において、当該フィールドは、ＮＳ値といった、予め決定される複数の無線パラメータに対応するビットマップを含む。無線ネットワークのセルへ参加するための基地局へのアタッチの交渉処理の一部として、ＵＥは、修正された無線パラメータの受け入れを示す上記フィールドを含む無線アクセスケイパビリティを基地局へ送信する（ブロック１０６）。そして、基地局は、ＵＥによる修正された無線パラメータのサポートに基づいて、アクセス制御の実行といったＵＥの管理を行い得る。具体的には、基地局は、ある修正された及び／又は新たなＮＳ値を受け入れるＵＥのみの流入を許可し、他のＵＥのアタッチを拒否してもよい。
【００５１】
図３は、（ノードＢ又はＬＴＥではｅＮｏｄｅＢとしても知られる）基地局３０と無線通信中の代表的なＵＥ１０を描いている。ＵＥ１０は、１つ以上のアンテナ１４を介して無線制御信号及びデータ信号を送受信するように作動可能な送受信機１２、を含む。１つの実施形態において、送受信機１２は、可変的な送信電力を有し、コントローラ１６により制御される。コントローラ１６は、ステートマシン、適切なファームウェアと共にあるプログラマブルロジック、適切なソフトウェアと共にある汎用プロセッサ若しくはデジタル信号プロセッサ（ＤＳＰ）、又はそれらの任意の組合せを含んでよい。コントローラ１６は、ＵＥ１０の全体的な動作を制御し、及び１つ以上の無線パラメータのリリース非依存の修正を受け入れるように作動可能である。コントローラ１６は、メモリ１８へ作動可能に接続される。メモリ１８は、ＲＡＭ、ＲＯＭ若しくはフラッシュなどといったソリッドステートメモリ、磁気的若しくは光学的媒体といった二次ストレージ、又はそれらの任意の組合せを含み得る。メモリ１８の一部は、コントローラ１６内に統合されてもよく、何らかのメモリ１８がデバイス１０へ取り外し可能に接続されてもよい（例えば、ＭＭＣカード）。メモリ１８は、コントローラ１６により実行されるオペレーティングシステム及びアプリケーションソフトウェア、並びに多様な動作パラメータ及び他のデータを記憶するように作動可能である。
【００５２】
具体的には、メモリ１８の不揮発性部分が、無線アクセスケイパビリティデータ構造２０を記憶するように作動可能である。無線アクセスケイパビリティ２０は、図１に描いたような複数のフィールドからなる情報エレメントを含む。例えばNetworkSignalingVersionとラベリングされ得る１つのフィールドは、ＵＥ１０がリリース非依存の修正を受け入れる対象の１つ以上の無線パラメータの標識を含む。１つの実施形態において、NetworkSignalingVersionフィールドは、各ビット位置がＮＳ値といった無線パラメータに対応するビットマップであって、ＵＥ１０が対応するパラメータの修正を受け入れるかを示す当該ビットマップを含む。
【００５３】
モバイルＵＥ１０は、ユーザインタフェース機能（例えば、キーパッド、キーボード、ディスプレイ、タッチスクリーン、マイクロフォン及びスピーカなど）、カメラ、衛星ナビゲーション受信機並びにグラフィックプロセッサなどといった、簡明さのために図３には描かれていない多くの他のコンポーネント及び機能を含んでよい。
【００５４】
ＵＥ１０は、基地局３０とエアインタフェースをまたいで通信する。基地局３０は、ＵＥ１０との間で、及び当該基地局により制御されるセル内の他のＵＥとの間で、１つ以上のアンテナ３８を介して無線制御信号及びデータ信号を交換するように作動可能な１つ以上の送受信機３６を含む。送受信機の動作は、１つ以上のコントローラ３４により制御される。コントローラ３４は、ＵＥのコントローラ１６を基準として上で説明したように構成されてよい。コントローラ３４は、複数のＵＥ１０を管理するように作動可能である。１つの実施形態において、コントローラ３４は、受信される無線アクセスケイパビリティ２０、及び、ＮＳ値といった１つ以上の無線パラメータのリリース非依存の修正のＵＥによる受け入れに応じて、ＵＥ１０のアタッチを許可し又は拒否し得る。コントローラ３４は、ＵＥのメモリ１８を基準として上で説明したように構成され得るメモリ３２へ作動可能に接続される。基地局３０は、他のネットワークノード、データベース及びユーザインタフェースエレメントなどへのインタフェースといった、簡明さのために図３には示していない多くの回路及び機能を含んでよい。
【００５５】
本発明の有用性を実証する１つの代表的で非限定的な例として、図４に描いたようなカナダでのＵＳ７００帯域計画の導入を考慮されたい。（ＵＳにおいてバンド１３と称される）アップリンクスペクトル７７７〜７８７ＭＨｚが、各々５ＭＨｚの２つの異なるブロックで割り当てられている：Ｃ１は７７７〜７８２ＭＨｚ、Ｃ２は７８２〜７８７ＭＨｚである（ＴＳ３６．１０１参照）。ＵＳでは、バンド１３の近傍は、バンド１３から２ＭＨｚの離隔を置いて７６９〜７７５ＭＨｚにて狭帯域公衆安全（ＮＢＰＳ）向けのダウンリンクに割り当てられたスペクトルである。カナダでは、ＮＢＰＳは、Ｃ１から１ＭＨｚのみの離隔を置いて７６８〜７７６ＭＨｚに割り当てられる。
【００５６】
ＵＳでは、ＮＢＰＳをバンド１３による干渉から保護するために、３ＧＰＰ仕様において、被害システム向けのより大きな保護を可能とするようにＡＭＰＲ（Additional  Maximum  Power  Reduction）が導入された。これは、近傍のＮＢＰＳにおける干渉を回避するように、ＵＥの最大出力電力を低減する。電力低減は、ネットワークシグナリングＮＳ＿０７において定義されている。その限界値は、−５７ｄＢｍ／６．２５ｋＨｚであり、ＮＳ＿０７がシグナリングされる場合にＥ−ＵＴＲＡの１０ＭＨｚキャリアへ適用される。
【００５７】
ＮＳ＿０７は、５ＭＨｚのチャネル帯域幅向けには定義されていない。ＡＭＰＲが無ければ、放射について適用可能な制約は、ＦＣＣ（Federal  Communication  Commission）要件の通り、７６９〜７７５ＭＨｚにおいて−３５ｄＢｍ／６．２５ｋＨｚである。
【００５８】
同様に、８５１〜８５９ＭＨｚでのＮＢＰＳ保護がバンド２６のＵＥのために導入された。このケースでは、３ＧＰＰ標準における電力低減保護レベルは、−５３ｄＢｍ／６．２５ｋＨｚである（規制限界値は、−１３ｄＢｍ／１００ｋＨｚ）。
【００５９】
−５７ｄＢｍ／６．２５ｋＨｚ、−５３ｄＢｍ／６．２５ｋＨｚ及び−３５ｄＢｍ／６．２５ｋＨｚという３つの選択肢を考慮されたい。７７６ＭＨｚでのＣ１帯域からのＮＢＰＳ保護のためには、−５３ｄＢｍ／６．２５ｋＨｚが良好な妥協案を表現するように見える。公衆安全（ＰＳ）スペクトルの保護のための放射限界値を、次のように定義することができる：
・７６９〜７７５ＭＨｚにて−５７ｄＢｍ／６．２５ｋＨｚ、及び７６８〜７７６ＭＨｚにて−５３ｄＢｍ／６．２５ｋＨｚ、又は
・７６９〜７７５ＭＨｚにて−５７ｄＢｍ／６．２５ｋＨｚ、及び７７５〜７７６ＭＨｚにて−５３ｄＢｍ／６．２５ｋＨｚ
【００６０】
ＮＳ＿０７は、現在のところ、１０ＭＨｚチャネル帯域幅について７６９〜７７５ＭＨｚの間で−５７ｄＢｍ／６．２５ｋＨｚという放射保護限界値を定義している。カナダのスペクトル割り当てのための上の保護のうちの１つを追加するために、５及び１０ＭＨｚのＥ−ＵＴＲＡチャネルについて７６８〜７７６ＭＨｚの範囲内のＰＳ保護を含める必要性がある。これは、新たなＡＭＰＲ値が追加される必要があることを示唆する。従来技術によれば、これを達成するために２つの手法のみが存在する。
【００６１】
第一に、ＮＳ＿０７を、将来の３ＧＰＰ標準リリースにおいて再定義することができる。このオプションは、ＵＳバンド１３の定義を再利用するという利点を有する（即ち、周波数帯域のグローバル化）。しかしながら、基地局は“新たな”ＮＳ＿０７を認識するＵＥをレガシーＵＥから区別できないことから、追加的なシグナリングをも定義して準拠を示すために標準へと追加しなければならないはずである。さもなくば、干渉抑圧を保証するために、多くのＵＥが排除される。
【００６２】
第二に、バンド１３と同じ構成を有し、但し５及び１０ＭＨｚのＥ−ＵＴＲＡチャネルについてＵＳ及びカナダでのＰＳ保護をカバーするための新たなＮＳ値を伴う新たな動作帯域を定義することができる。このオプションは、周波数帯域の定義を増殖させ、既存の帯域のグローバル化を挫折させる。
【００６３】
しかしながら、本発明の実施形態によれば、カナダでは、ＮＳ＿０７の修正を伴ってバンド１３の定義を採用することができる。NetworkSignalingVersionビットマップ内のあるビットは、少なくとも７７５〜７７６ＭＨｚにわたって−５３ｄＢｍ／６．２５ｋＨｚをサポートするＮＳ＿０７の修正をＵＥが遵守するのか（例えば、ビットマップにおいて“１”）、又はＵＥが７６９〜７７５ＭＨｚでの１０ＭＨｚのための−５７ｄＢｍ／６．２５ｋＨｚという保護放射レベルがＮＳ＿０７によりシグナリングされるＵＳバンド１３の定義のみをサポートするレガシーＵＥであるのか（例えば、ビットマップにおいて“０”）、を示すように定義されることができる。NetworkSignalingVersionフィールド無しで無線アクセスケイパビリティをシグナリングするＵＥは、ＮＳ＿０７について“０”というビット値をシグナリングするものと同じであると見なされ、カナダの基地局によって、バンドＣ１＋Ｃ２へのアタッチから除外されることになる。
【００６４】
本発明の実施形態は、従来技術に対して有意な利点を提示する。ネットワークシグナリング値の修正又は追加を受け入れる自身の能力をＵＥがシグナリングすることによって、ネットワーク事業者は、地域的な条件にとって必要な通りの動作パラメータを採用しながら、以前に定義された動作帯域を再利用してよく、基地局は、ＵＥのケイパビリティに基づいて流入制御を実行し得る。これは、リリース非依存であり、同じ周波数レンジにおいて動作するネットワークのための帯域識別子の増殖を回避する。
【００６５】
ここではＮＳ値の変更／更新に関して議論を行ったが、当業者は、本発明の実施形態が
いかなるネットワークパラメータのリリース非依存の修正をも容易化することを簡単に認識するであろう。そのうちのネットワークシグナリングパラメータあるいはＮＳ値は、１つの代表的な例に過ぎない。
【００６６】
本発明は、本発明の本質的な特徴から逸脱することなく、ここで具体的に説明した内容とは別の手法で遂行されてよい。本実施形態は、あらゆる観点において、説明的であって限定的ではないと見なされるべきであり、添付の請求項の意味及び均等の範囲内に入る全ての変更は、そこに包含されるように意図される。
【図１】
0006014269.tif 000002
【図２】
0006014269.tif 000003
【図３】
0006014269.tif 000004
【図４】
0006014269.tif 000005